(57)【要約】【課題】防振部材で硬度を下げて振動の防振を行うこととスピーカを安定して保持することの両方を実現し、防振効果と高音質化を実現するスピーカ構造を提供すること。【解決手段】スピーカと、前記スピーカをキャビネットに取付けるためのスピーカフレームと、前記スピーカの前面に設けられた第一の防振部材と、前記スピーカフレームのビス締め部に設けられた第二の防振部材と前期キャビネットの音孔を囲むように形成しかつ音孔側に斜めに傾斜させた内壁を有するリブとを備え、前記第一の防振部材と前記第二の防振部材が前記キャビネットの音孔を囲むリブの斜めの内壁と弾性圧縮されながら接触することを特徴とするスピーカ取付け機構。【選択図】図６
2008263342.tif 000002
【特許請求の範囲】
【請求項１】
スピーカと、前記スピーカをキャビネットに取付けるためのスピーカフレームと、前記スピーカの前面に設けられた第一の防振部材と、前記スピーカフレームのビス締め部に設けられた第二の防振部材と前記キャビネットの音孔を囲むように形成しかつ音孔側に斜めに傾斜させた内壁を有するリブとを備え、前記第一の防振部材と前記第二の防振部材が前記キャビネットの音孔を囲むリブの斜めの内壁と弾性圧縮されながら接触することを特徴とするスピーカ取付け機構。
【発明の詳細な説明】
【技術分野】
【０００１】
本発明は、スピーカの振動をキャビネットに伝達させず、かつ、安定した取り付けにより高音質化を可能にするスピーカ取付け機構に関するものである。
【背景技術】
【０００２】
テレビジョン受像機において、スピーカシステムの振動を防振することは非常に重要である。ＣＲＴタイプのテレビジョン受像機においては、スピーカの振動がキャビネットを経由しＣＲＴ内部のシャドウマスクを振動させて画像の色ズレなどを発生させる問題が報告されている。
【０００３】
また、液晶やプラズマに代表されるフラットパネルのテレビジョン受像機においては、スピ−カからの振動が伝わることにより、発生しやすいキャビネットの共振音やプリント基板の共振音による問題で、省スペース、省クリアランス設計が困難となり薄型設計の大きな課題となっている。さらに、振動による共振音はテレビジョン受像機の高音質化という観点でも障害となるもので、スピーカシステムの広帯域化、高出力化を実現するためにも効果的な防振機構を確立することが重要である。
【０００４】
従来のテレビジョン受像機のスピーカ取付け機構においては、一般的に防振部材を介して取付け固定することがなされているが、防振部材の硬度を下げて振動の防振を行うこととスピーカを確実に保持することの両方を実現することが困難であった。従来のスピーカ取付け機構では特許文献１のように、防振部材をスピ−カの保持部材に取付けることで、キャビネットへの振動伝達を防ぐことが提案されている。
【特許文献１】特開２０００−２２４６８１号公報
【発明の開示】
【発明が解決しようとする課題】
【０００５】
しかしながら、前記従来の構成では、ビス締め方向の直角方向に凹凸を設けたものの効果を記載しているが、防振部材により保持される部分は成型品等で圧肉の形成された部分をスピーカに形成するか、もしくは別部品として保持部材を用意することが必要であり、スピーカユニット単体の金属フレーム部分のような薄肉の保持部に関しては効果がない。  
【０００６】
またスピーカを防振部材で保持する構造で防振部材の硬度を下げることでの防振効果は一般的に知られており記載もされているが、実際に防振部材の硬度を下げていくことは重量物であるスピーカを安定して保持してキャビネットに固定するということができなくなるという課題も生じる。スピーカの保持が不安定で発生する問題は強度的な問題や振動伝達の問題のみならず、スピーカ前面のバッフル面を完全に形成することも困難となり、音質を安定して再現することができない。
【０００７】
本発明は、前記従来の課題を解決するもので、防振部材で硬度を下げて振動の防振を行うこととスピーカを安定して保持することの両方を実現し、防振効果と高音質化を実現するスピーカ構造を提供することを目的とする。
【課題を解決するための手段】
【０００８】
前記従来の課題を解決するために、本発明のスピーカ取付け機構は、スピーカと、前記スピーカをキャビネットに取付けるためのスピーカフレームと、前記スピーカの前面に設けられた第一の防振部材と、前記スピーカフレームのビス締め部に設けられた第二の防振部材と前期キャビネットの音孔を囲むように形成しかつ音孔側に斜めに傾斜させた内壁を有する第一のリブとを備え、前記第一の防振部材が前記キャビネットの音孔を囲む第一のリブの斜めの内壁と弾性圧縮されながら接触し、第二の防振部材がキャビネットのスピーカを固定保持する第二のリブと座付きビスとの間で弾性圧縮されながら接触してキャビネットに取付けられる。
【０００９】
本構成によって、スピーカからの音をキャビネットと第一の防振部材で形成した隙間のない空間から出力し、スピーカの振動を第二の防振部材で吸収することが可能となる。
【発明の効果】
【００１０】
本発明のスピーカ取付け機構によれば、第二の防振材で硬度を下げて振動の防振を行うこととスピーカを安定に保持することの両方を実現し、防振効果と高音質化を同時に実現することができる。
【発明を実施するための最良の形態】
【００１１】
以下本発明を実施するための最良の形態について、図面を参照しながら説明する。
【００１２】
（実施の形態１）
最初に、本発明の実施の形態１におけるスピーカ取付け機構の概要について説明する。図１は本発明の実施の形態１におけるスピーカ取付け機構の正面全体図で、図２は図１のスピーカ取付け機構の後面全体斜視図、図３はスピーカ取付け機構の後面詳細斜視図、図４はスピーカ取付け機構のキャビネット後面斜視図、図５はスピーカ取付け機構のスピ−カ斜視図、図６はスピーカ取付け機構の断面図、図７はスピーカ取付け機構の断面詳細図を示している。
【００１３】
図１および図２において、例えばＬＣＤテレビジョン受像機にてスピ−カユニット３がＬＣＤパネル２の下に配置されているものの全体像について説明する。なお、本発明においては、スピーカユニット３がＬＣＤパネル２の下に配置されているＬＣＤテレビジョン受像機について説明したが、本願発明はこれに限定されるものではなく、ＬＣＤパネル２の左右にスピーカユニットが配置されている構成でもよい。また、パネルの一例としてＬＣＤの場合について、説明したが、本願発明はこれに限定されるものではない。
【００１４】
キャビネット１にはセット正面に音孔１ａを有しており、キャビネット後面にスピーカユニット３を、第二の防振部材４と、座付きビス５によって固定されている。スピ−カユニット３からの音は音孔１ａを介して、セット正面に放出される。
【００１５】
キャビネット１は、ＬＣＤパネル２やスピーカユニット３が取付けられるテレビ受像機の前面キャビネットである。図３、４、５は、スピーカユニット３をキャビネット１に取付けるスピーカ取付け機構およびキャビネットとスピーカユニットを拡大表示している。キャビネット１は、スピーカユニット２からの音をテレビ受像機の外へ出力するための音孔１ａと、音孔１ａの周囲を取囲むよう形成し、かつリブ１ｂの内壁に傾斜面１ｃを有してスピーカユニット３と接触するように形成された第一のリブ１ｂと、スピーカユニット３をビス締め固定するためのボス１ｄと、ボス１ｄ天面より段形状になるように形成され第２の防振部材４を固定するための第二のリブ１ｅを有している。
【００１６】
スピーカユニット３は、音声出力するスピーカ本体３ｄと、スピーカ本体３ｄをキャビネット１に固定するためのスピーカフレーム３ｂと、スピーカユニット３をキャビネット１に固定するためキャビネット１のボス１ｃに対応するようにスピーカフレーム３ｂに設けられた直径１０ｍｍのスピーカフレーム穴３ｃとその穴３ｃに第二の防振部材４を挿入固定できるようになっており、またスピーカユニット３をキャビネット１に固定するためにキャビネット１の第一のリブ１ｂに接触する第一の防振部材３ａとで構成されている。
【００１７】
第一の防振部材３ａは、発泡ウレタン材料等の弾性のある材料で成形されており、弾力性を有している。第一の防振部材３ａは、キャビネット１の音孔１ａ周囲の第一のリブ１ｂの形状の内壁１ｃに対応して形成し、スピーカユニット３がキャビネット１にビス締め固定された際に第一のリブ１ｂの内壁１ｃに弾性接触するような寸法に設定してある。つまり、第一の防振部材３ａの厚み寸法は、スピーカユニット３のスピーカフレーム３ｂとキャビネット１の第一のリブ１ｂとの間隔より厚くし、スピーカユニット３をキャビネット１にビス締め固定したとき、第一の防振部材３ａがキャビネット１の第一のリブ１ｂの内壁１ｃで圧縮される厚みにしている。
【００１８】
また、スピーカユニット３をキャビネット１にビス締め固定するとき、スピーカユニット３のスピーカフレーム穴３ｃとキャビネット１のボス１ｃでビス締め固定するが、そのとき、スピーカフレーム穴３ｃに第二の防振部材４を挿入し、第二の防振部材４の中心穴にキャビネット１のボス１ｃを挿入して第二のリブ１ｄと座付きビス４にて圧縮させながらビス締め固定する。第二の防振部材４は例えばエラストマ−等で成型された弾力性のある材料にて形成されたものである。
【００１９】
以上のような構成を備えた本発明について、次に、図８，９，１０，１１，１２を用いて、本発明の効果について説明する。図８は本発明の実施の形態におけるスピーカ取付け機構の断面図を示している。図９，１０，１１は従来のスピーカ取付け機構の断面図、図１２は本発明の実施の形態および従来のスピーカ取付け機構との音声周波数特性比較を示している。
【００２０】
弾力性のある防振部材を用いたスピ−カ取付け機構で課題となるのが、スピ−カユニット３をキャビネット１に取付けた際に完全なバッフルを形成することが困難であることがあげられる。図９、図１０のように、従来のスピ−カ取付け機構では第一の防振部材３ａをキャビネット１に形成したリブ１ｂの天面に弾性圧縮させて取付け固定を行っていた。
【００２１】
しかしながら、スピ−カユニット３は重量物であり特にマグネット部分の重量が大きく鉛直方向に常に重力の影響により力を受けている。実際にキャビネット１に取付け固定した場合、図１１に示すように下側に垂れ下がるような力が働いてスピ−カユニット３の位置が傾き、キャビネットリブ１ｂとスピ−カ３に形成している第一の防振部材３ａとの間に隙間が生じやすい。また垂れ下がりを防止するようにキャビネット１に対して第一の防振部材３ａの圧着する量を増やす、もしくはキャビネット１へのビス固定本数を増やすということはスピ−カユニット３の振動のキャビネット１への伝達を防止するという観点で問題が出ることと、ビス本数の増加は工数の増加につながるものであり望ましくない。このようにバッフル形成と防振の両立する取付け機構が従来技術では困難であった。
【００２２】
本発明のスピーカ取付け機構においては上記課題を解決するものである。図８は本発明の実施の形態におけるスピーカ取付け機構の断面図を示している。図中、スピ−カユニット３は第一の防振部材３ａはキャビネット１に設けられたリブ１ｂの内壁の傾斜１ｃに弾性圧縮して取付け固定されている。図には示していないが、スピ−カユニット３は第一の防振部材３ａと第二の防振部材４とでキャビネット１には弾性固定された状態でスピ−カユニット３の振動のキャビネット１への伝達を防止している。
【００２３】
かかる構成によれば、スピ−カユニット３に鉛直方向に力が加わり重力の影響により力を受けて、下側に垂れさがるような力によりスピ−カユニット３が傾いた場合において、キャビネット１の音孔１ａの周囲に形成したリブ１ｂの内壁の傾斜１ｃと第一の防振部材３ａは弾性圧着しているため、その弾性力と摩擦力によりスピ−カユニット３の傾きは制限されるため、キャビネット１との間に隙間が生じることを防止することができる。
【００２４】
ここで、図１２は本発明の実施の形態および従来のスピーカ取付け機構との音声周波数特性比較を示している。本発明によりバッフルの形成が確実になされた場合の特性６と、本発明による音声周波数特性６ａと、従来のスピーカ取付け機構にてスピ−カが垂れ下がった場合の音声周波数特性６ｂの部分である。この図から明らかなように、２００Ｈｚ以下の低域に関してその特性差が顕著であり、低音再生効率に関しても本発明の効果は期待できる。従来構成では、スピ-カが垂れ下がる傾向がありキャビネットとの間に隙間ができるため、スピ-カの後面から放射される逆位相の音がその隙間からスピ-カ前室に入って低域で打ち消しあうため６ｂのように能率がさがってしまう。これに対して、本願発明では、スピーカが垂れ下がった場合であっても、キャビネットとスピーカの間に隙間ができにくいため、このような問題は生じない。
【００２５】
かかる構成によれば、第一の防振部材３ａもキャビネット１のリブ１ｂの内壁に形成された傾斜１ｃと弾性接触するため振動はキャビネットに伝わりにくいことに加え、スピーカユニット３の前面にてバッフル面を完全に形成することができるので効率良く、音孔１ａから音を出力することが可能となる。さらに、スピーカユニットのキャビネットへの固定は第一の防振部材と第二の防振部材とを介してなされるため、スピーカの振動をキャビネット１に伝達させにくい。また、キャビネットの第一のリブとスピーカユニットに形成している第一の防振部材との弾性接触によりスピーカユニットからの音は音孔から効率良く出力される。
【００２６】
なお、本実施の形態において、第一の防振部材、第二の防振部材の材料を発泡ウレタン材料、エラストマ材料としたが、第一の防振部材、第二の防振部材の材料をゴム材料などの弾力性をもつ材料としてもよい。
【００２７】
また、本実施の形態においては、リブ１ｂの内壁に設けられた傾斜面１ｃについては、平らな傾斜面を想定して説明したが、本発明はこれに限定されるものではなく、傾斜面を設ける構成により、３ａを覆う構成であれば、それ以外の形状であってもよい。
【産業上の利用可能性】
【００２８】
本発明のテレビジョン受像機は、防振部材で硬度をやわらかくすることとスピーカを確実に保持することの両方を実現し、防振効果と高音質化を実現するもので、近年の液晶やプラズマに代表されるような薄型のテレビジョン受像機では、キャビネットの共振音による問題を解決するもので非常に有益である．
【図面の簡単な説明】
【００２９】
【図１】本発明の実施の形態におけるスピーカ取付け機構の正面全体図
【図２】本発明の実施の形態におけるスピーカ取付け機構の後面全体斜視図
【図３】本発明の実施の形態におけるスピーカ取付け機構のスピーカ取付け機構の後面詳細斜視図
【図４】本発明の実施の形態におけるスピーカ取付け機構のスピーカ取付け機構のキャビネット後面斜視図
【図５】本発明の実施の形態におけるスピーカ取付け機構のスピーカ取付け機構のスピ−カ斜視図
【図６】本発明の実施の形態におけるスピーカ取付け機構のスピーカ取付け機構の断面図
【図７】本発明の実施の形態におけるスピーカ取付け機構のスピーカ取付け機構の断面詳細図
【図８】本発明の実施の形態におけるスピーカ取付け機構の断面図
【図９】従来のスピーカ取付け機構の断面図
【図１０】従来のスピーカ取付け機構の断面図
【図１１】従来のスピーカ取付け機構の断面図
【図１２】本発明の実施の形態および従来のスピーカ取付け機構との音声周波数特性比較した図
【符号の説明】
【００３０】
１    キャビネット
１ａ    音孔
１ｂ    第一のリブ
１ｃ    リブ１ｂの内壁の傾斜
１ｄ    ボス
１ｅ    第二のリブ
２    ＬＣＤパネル
３    スピーカユニット
３ａ    第一の防振部材
３ｂ    スピーカフレーム
３ｃ    スピーカフレーム穴
３ｄ    スピーカ本体
４    第二の防振部材
５    座付きビス
６    本発明の実施の形態における周波数特性
６ａ    本発明の実施の形態における周波数特性
６ｂ    従来のスピ−カ取付け機構における周波数特性
【図１】
2008263342.tif 000003
【図２】
2008263342.tif 000004
【図６】
2008263342.tif 000005
【図７】
2008263342.tif 000006
【図９】
2008263342.tif 000007
【図１０】
2008263342.tif 000008
【図１２】
2008263342.tif 000009
【図３】
2008263342.tif 000010
【図４】
2008263342.tif 000011
【図５】
2008263342.tif 000012
【図８】
2008263342.tif 000013
【図１１】
2008263342.tif 000014